(57)【要約】【課題】  簡単に且つ確実に最新版の図面を入手することができる生産帳票作成装置を提供することにある。【解決手段】  生産帳票作成装置は、部品表データベースから、指定された製品の部品表を取り出し、上記指定された製品を製造するのに必要な全ての部品を検索する部品展開部と、図面データベースから、上記全ての部品の図面を入手する図面検索出力部と、を有し、該図面検索出力部は、指定された改訂版と同一の改訂版の図面が存在するか否かを検索する。【選択図】  図１
2005215987.tif 000002
【特許請求の範囲】
【請求項１】
部品表データベースから、指定された製品の部品表を取り出し、上記指定された製品を製造するのに必要な全ての部品を検索する部品展開部と、図面データベースから、上記全ての部品の図面を入手する図面検索出力部と、を有し、該図面検索出力部は、指定された改訂版と同一の改訂版の図面が存在するか否かを検索することを特徴とする生産帳票作成装置。
【請求項２】
請求項１記載の生産帳票作成装置において、上記図面検索出力部は、指定された改訂版と同一の改訂版の図面が存在しない場合には所定の時間経過後に再度検索を行うことを特徴とすると生産帳票作成装置。
【請求項３】
請求項１記載の生産帳票作成装置において、上記図面検索出力部は、指定された図面の図番と図面の改訂の版を表すリビジョン番号に基づいて図面を検索することを特徴とする生産帳票作成装置。
【発明の詳細な説明】
【技術分野】
【０００１】
本発明は、製作手配及び購買手配のための生産帳票（仕様書・部品表・図面）を作成する生産帳票作成装置に関する。
【背景技術】
【０００２】
製造業において、製品を製造する場合、設計部門は、帳票管理部門に製造指示を送付する。帳票管理部門は、仕様書を作成し、先ず、部品表データベースから、その製品の部品表を取り出し、その製品を製造するのに必要な部品を検索する。これを、部品展開工程と称する。次に、図面データベースから、全ての部品に関する図面を入手する。これを、図面検索出力工程と称する。帳票管理部門は、仕様書、部品表及び図面を、製造部門及び購買部門に送付する。ここで、仕様書、部品表及び図面の３つの書類を生産帳票と称する。尚、仕様書は、製造指示書、製造連絡書等と称される場合もある。
【０００３】
ここでは、帳票管理部門により実行される部品展開工程と図面検索出力工程を例として説明した。しかしながら、設計部門が製造指示を生成してから、生産帳票が製造部門及び購買部門に送付されるまでに多数の作業及び工程が含まれる。
【０００４】
これらの作業又は工程の一部をコンピュータによって実行することが提案されている。特許文献１には、組立図の作成に必要な部品の選定を自動的に行う組立図作成支援方法が記載されている。特許文献２には、新規に図面を作成するときに、図面に係る部品の属性を入力することにより、部品表を迅速に作成することができる装置が記載されている。特許文献３には、発注期限に部品を発注することができない場合にアラームを発生する部品発注期限自動管理システムが記載されている。特許文献４には、別個に作成される設計用図面データと生産用図面データを自動合成する図面データ自動合成システムが記載されている。特許文献５には、入力装置から入力された代表寸法に基づいて図面データファイルから最適な図面データを検索する図面データベース検索方法が記載されている。
【０００５】
【特許文献１】特開平５−２５７９９６号公報
【特許文献２】特開平６−１７６０８５号公報
【特許文献３】特開平１１−８５８６０号公報
【特許文献４】特開２０００−２５９６８１号公報
【特許文献５】特開平６−１９９８２号公報
【発明の開示】
【発明が解決しようとする課題】
【０００６】
帳票管理部門は、図面検索出力工程において、部品表に記載されて全ての部品の図面を原図庫から入手する。しかしながら、図面は頻繁に又は時々改訂される。これをリビジョンと称する。従って、図面にはリビジョンの番号が付される。例えば、リビジョン０は、最初の図面であり、リビジョン１は、第１回の改訂版であり、リビジョン２は第２回の改訂版であることを示す。
【０００７】
図面の改訂が行われてから、原図庫に実際に改訂版が格納されるまで、時間がかかる。従って、実際には図面の改訂が行われ又は開始されても、改訂版が原図庫に格納されているとは限らない。
【０００８】
帳票管理部門は、実際には図面が改訂されているにも拘らず、改訂版が原図庫に格納されていないため、誤って、古い版の図面を入手することがある。
【０００９】
本発明の目的は、簡単に且つ確実に最新版の図面を入手することができる生産帳票作成装置を提供することにある。
【課題を解決するための手段】
【００１０】
生産帳票作成装置は、部品表データベースから、指定された製品の部品表を取り出し、上記指定された製品を製造するのに必要な全ての部品を検索する部品展開部と、図面データベースから、上記全ての部品の図面を入手する図面検索出力部と、を有する。図面検索出力部は、指定された改訂版と同一の改訂版の図面が存在するか否かを検索し、最新の改訂版の図面を出力する。
【発明の効果】
【００１１】
本発明によれば、簡単に且つ確実に最新版の図面を入手することができるから、製品のコストダウン及び納期の短縮が可能となる。
【発明を実施するための最良の形態】
【００１２】
図１を参照して本発明による生産帳票作成システムの例を説明する。本例の生産帳票作成システムは、帳票管理部門の各担当者によって管理された端末装置１００と、端末装置１００から送信された情報に基づいて生産帳票作成を作成する生産帳票作成装置２００と、生産帳票作成装置２００によって作成された生産帳票を出力する出力装置３００と、各種の情報を格納する記憶装置４００と、を有する。端末装置１００、生産帳票作成装置２００、出力装置３００及び記憶装置４００の間はＬＡＮ（local area network）回線６００によって接続されている。端末装置１００は、キーボード等の入力装置とディスプレイ装置を備えたパーソナルコンピュータであってよい。
【００１３】
端末装置１００は、製品名を含む手配指示情報を入力するための手配指示入力部１０１と、仕様書の情報を入力するための仕様書情報入力部１０２と、仕様書を自動的に作成する仕様書電子化部１０３とを有する。手配指示入力部１０１と仕様書情報入力部１０２は、端末装置１００のディスプレイ装置の画面に表示されたＧＵＩ（Graphical User Interface）であってよい。
【００１４】
生産帳票作成装置２００は、部品展開工程を実行する部品展開部２０１、図面の検索及び出力を行う図面検索出力部２０２、及び、作成したデータを送信するデータ送信部２０３を有する。出力装置３００は、生産帳票作成装置２００から送信されたデータを受信するデータ受信部３０１、及び、仕様書、部品表及び図面を出力するデータ出力部３０２を有する。データ出力部３０２は、例えば、プリンタであってよい。
【００１５】
記憶部４００は、仕様書を格納する仕様書データベース４０１、部品表を格納する部品表データベース４０２、図面を格納する図面データベース４０３、及び、仕様書、部品表及び図面を一時的に格納する一時保管データベース４０４を有する。
【００１６】
本発明による生産帳票作成システムの第１の機能は、仕様書を自動的に作成し、それを仕様書データベース４０１に格納することである。仕様書を作成する処理は、以下に、図２を参照して説明する。本発明による生産帳票作成システムの第２の機能は、製品を製造するとき、仕様書、部品表及び図面を自動的に作成することである。製品を製造するとき、担当者は、画面上の手配指示入力部１０１より製品名を含む手配指示情報を入力する。手配指示入力部１０１は、製品名を含む手配指示情報を生産帳票作成装置２００に送信すると同時に、対応する仕様書を仕様書データベース４０１より検索し、それを一時保管データベース４０４に保管する。一時保管データベース４０４に保管された仕様書は、出力装置３００によって、部品表及び図面と共に出力される。
【００１７】
図２を参照して、仕様書を作成する処理を説明する。ステップＳ１０１にて、担当者は、仕様書情報入力部１０２を介して、仕様書を作成するために必要がデータを入力する。上述のように、仕様書情報入力部１０２はディスプレイ装置の画面に表示されたＧＵＩ（Graphical User Interface）であってよい。仕様書情報入力部１０２は、担当者が入力してデータを仕様書電子化部１０３に送信する。ステップＳ１０２にて、仕様書電子化部１０３は、担当者が入力した情報を仕様書の様式に書き換え、それを適当な画像データのフォーマットに変換する。例えば、ＴＩＦＦ（Tagged Image File Format）ファイルに変換する。ステップＳ１０３にて、仕様書電子化部１０３は、仕様書の電子データを、記憶装置４００の仕様書データベース４０１へ送信する。それによって、仕様書は、記憶装置４００の仕様書データベース４０１に格納される。本例では、担当者が仕様書に関する情報を入力することにより、自動的に仕様書が作成され、仕様書データベース４０１に格納される。
【００１８】
図３を参照して、生産帳票作成装置２００の部品展開部２０１における部品展開処理を説明する。ステップＳ２０１にて、部品展開部２０１は、手配指示品入力部１０１より手配指示された製品名（部品名）を受信する。ステップＳ２０２にて、手配指示された製品名が部品表データベース４０２に存在するか否かを判定する。存在する場合には、ステップＳ２０３に進み、存在しない場合には、ステップＳ２０７に進み、エラーメッセージを表示する。
【００１９】
ステップＳ２０３にて、部品表データベース４０２を参照し、手配指示された製品（部品）を作るために必要な全部品のデータを検索する。ステップＳ２０４にて、検索した全部品のデータに基づいて、部品表を作成する。ステップＳ２０５にて、部品表展開部２０１は、手配指示された製品（部品）を作るために必要な全部品の図面の図面情報を図面検索出力部２０２へ送信する。図面情報には図面番号を図面の版（リビジョン番号）が含まれる。ステップＳ２０６にて、部品表を一時保管データベース４０４へ格納し、更に、必要なら、部品表データベース４０２に格納する。
【００２０】
図４を参照して、生産帳票作成装置２００の図面検索出力部２０２における図面の検索及び出力処理を説明する。ステップＳ３０１にて、図面検索出力部２０２は、部品表展開部２０１から送信された図面情報を受信する。上述のように、図面情報には図面番号を図面の版（リビジョン番号）が含まれる。ステップＳ３０２にて、図面情報の１つを取り出す。ステップＳ３０３にて、その図面番号の図面の指定された最新版（最新のリビジョン番号）が図面データベース４０３に存在する否かを判定する。その図面が存在する場合、ステップＳ３０４に進み、その図面が存在しない場合ステップ３０７に進み、一定時間待ち、ステップＳ３０３に戻る。
【００２１】
こうして、本例では、最新版（最新のリビジョン番号）の図面が図面データベース４０３に格納されていない場合には、一定時間待つから、その間に、最新版（最新のリビジョン番号）の図面が図面データベース４０３に格納される。もし、一定時間待っても、最新版（最新のリビジョン番号）の図面が図面データベース４０３に格納されていないなら、更に、一定時間待つ。こうして、最新版（最新のリビジョン番号）の図面が図面データベース４０３に格納されるまで、待つから、必ず、最新版（最新のリビジョン番号）の図面を入手することができる。尚、ステップ３０７の待ち時間は、例えば、１時間以内であってよい。
【００２２】
ステップＳ３０４にて、その図面を図面データベース４０３から読み出し、一時保管データベース４０４へ一時的に格納する。ステップＳ３０５にて、全図面を読み出したかを判定する。全図面を読み出していない場合には、ステップＳ３０２に戻り、全図面を読み出した場合には、ステップＳ３０６に進む。ステップＳ３０６にて、図面検索出力部２０２は、全図面のデータを一時保管データベース４０４へ一時的に格納する。
【００２３】
再び図１を参照して、データの出力処理を説明する。データ送信部２０３は、一時保管データベース４０４に一時的に格納された仕様書、部品表及び図面を出力装置３００に送信する。出力装置３００のデータ受信部３０１は、仕様書、部品表及び図面を受信する。データ出力部３０２は、生産帳票、即ち、仕様書、部品表及び図面を出力する。
【００２４】
以上本発明の例を説明したが本発明は上述の例を限定されるものではなく、特許請求の範囲に記載された発明の範囲にて様々な変更が可能であることは当業者に容易に理解されよう。
【図面の簡単な説明】
【００２５】
【図１】本発明による生産帳票作成システムの構成を示す図である。
【図２】本発明による生産帳票作成システムによる仕様書を作成する処理を説明する図である。
【図３】本発明による生産帳票作成装置の部品表展開部の動作を説明するための説明図である。
【図４】本発明による生産帳票作成装置の図面検索出力部の動作を説明するための説明図である。
【符号の説明】
【００２６】
１００…端末装置、１０１…手配指示入力部、１０２…仕様書情報入力部、１０３…仕様書電子化部、２００…生産帳票作成装置、２０１…部品展開部、２０２…図面検索出力部、２０３…データ送信部、３００…出力装置、３０１…データ受信部、３０２…データ出力部、４００…記憶装置、４０１…仕様書データベース、４０２…部品表データベース、４０３…図面データベース、４０４…一時保管データベース、６００…ＬＡＮ回線
【図１】
2005215987.tif 000003
【図２】
2005215987.tif 000004
【図３】
2005215987.tif 000005
【図４】
2005215987.tif 000006